(57)【要約】【課題】カメラ付きのドアホンとの音声及び映像の送受信を行うためのドアホンアダプタは高価なディスプレイを搭載しなければならず、従来の記載の方法では、音声と映像を同時に扱うことができず、又、ドアホンアダプタの内部に画像信号をディスプレイに表示できる形式に変換する回路を持つため、ドアホンアダプタの構成が複雑になっていた。【解決手段】カメラ付きのドアホンとドアホンアダプタにディスプレイ付きのファクシミリ電話機を接続し、ファクシミリ電話機のディスプレイにドアホンのカメラの映像を表示させる。カメラの映像を見るために、ファクシミリ付属のディスプレイと画像処理回路を使用するため低コストでシステムを構築することができる。ファクシミリ電話機とドアホンアダプタの接続は従来のモジュラジャックを使用するため、接続方法が簡略である。【選択図】図１
2006100922.tif 000002
【特許請求の範囲】
【請求項１】
画像信号を生成する撮像手段を有する通話装置と、画像を表示する手段を有する電話装置と、前期通話装置及び電話機間でこれらを接続する接続装置とを用いる通信方法であって、
前記電話装置は、前記通話装置で生成された画像信号を前記表示手段にて表示することが可能な形式の画像に変換し、前記通話装置及び前記電話機の一方の装置から受信した音声信号を他方の装置にて処理することが可能な形式の音声信号に変換し、前記電話機と前記接続装置との間の接続において６芯の専用通信線を用い、そのうちの２本の通信線で一般通信回線との音声通信を行い、４本の通信線で前記通話装置との音声通信及び映像通信を行うことを特徴とする通信方法。
【請求項２】
画像信号を生成する撮像手段を有する通話装置と、画像を表示する手段を有する電話装置と、前記通話装置及び電話機間でこれらを接続する接続装置とを用いる通信システムにおいて、
前記通話装置は、撮像した映像を前記接続装置に送信する手段と、前記接続装置と音声信号を送受信する手段を備え、前記接続装置は、前記通話装置から受信した画像信号を前記電話機に送信する手段と、前記通話装置又は前記電話装置の一方から受信した音声信号を他方の装置で処理することが可能な形式に変換する手段と、変換した音声信号を前記他方の装置へ送信する手段とを備え、前記電話機は、前記通話装置から送信された画像信号を受信する手段と、受信した前記画像信号を前記表示手段にて表示できる形式に変換する手段と、前記変換した画像信号を表示する手段と、前記接続装置と音声信号の送受信を行う手段と、前記電話機と前記接続装置との間の接続には６芯の専用通信線を用い、そのうちの２本を一般通信回線との音声通信に用い、４本の通信線を前記通話装置との音声通信及び映像通信に用いる手段を備えることを特徴とする通信システム。
【請求項３】
前記電話機と前記接続装置との間の接続には６芯の専用通信線を用い、そのうちの２本を一般通信回線との音声通信に用い、その他の通信線のうち２本を音声信号の送信と受信に用い１本を映像信号の受信に用いる通信手段を有することを特徴とする請求項２記載の通信システム。
【請求項４】
画像信号を生成する撮像手段を有する２つの通話装置と、画像を表示する手段を有する電話装置と、前期通話装置及び電話機間でこれらを接続する接続装置とを用いる通信システムにおいて、
前記通話装置は、撮像した映像を前記接続装置に送信する手段と、前記接続装置と音声信号を送受信する手段を備え、前記接続装置は、前記通話装置から受信した画像信号を前記電話機に送信する手段と、前記通話装置又は前記電話装置の一方から受信した音声信号を他方の装置で処理することが可能な形式に変換する手段と、変換した音声信号を前記他方の装置へ送信する手段とを備え、前記電話機は、前記通話装置から送信された画像信号を受信する手段と、受信した前記画像信号を前記表示手段にて表示できる形式に変換する手段と、前記変換した画像信号を表示する手段と、前記接続装置と音声信号の送受信を行う手段と、前記２つの通話装置を切り替える手段と、前記２つの通話装置と前記接続装置を接続する手段と、前記電話機と前記接続装置との間の接続には６芯の専用通信線を用い、そのうちの２本を一般通信回線との音声通信に用い、その他の通信線のうち一本を音声信号の送受信に用い、１本を映像信号の受信に用い、１本を２つの通話装置の切り替えを行うために用いる通信手段を有することを特徴とする通信システム。
【発明の詳細な説明】
【技術分野】
【０００１】
本発明は、カメラ付きドアホンを用いた屋内外の通信システムに関するものである。
【背景技術】
【０００２】
家屋外に設置するカメラ付きのドアホンを用いて来客の音声と映像を家内で確認するためのシステムでは、従来、屋外に設置するカメラ付きのドアホンと、屋内に設置したドアホンアダプタとの間で通信を行う。この場合、音声の送受信はドアホンアダプタ付属のハンドセットで行い、映像はドアホンアダプタと一体型の付属のディスプレイで映像の表示を行っていた。
【０００３】
しかし、カメラ付きのドアホンとの音声及び映像の送受信を行うためのドアホンアダプタは高価なディスプレイを搭載しなければならなかった。
【０００４】
この問題を解決する手段として、電話機又はファクシミリに付属のディスプレイにドアホンのカメラからの映像を表示させる手段が提案されている（例えば、特許文献１）。
【０００５】
又、電話機やＦＡＸを接続して使用するドアホンアダプタの６芯アナログポートのうち、２芯を電話回線との接続に使用し、４芯をドアホンの音声信号及び制御信号の伝送回線として使用するものがある（例えば、特許文献２）。
【０００６】
【特許文献１】特開２００３−１４３３０５号公報
【特許文献２】特開平１１−１３６３９５号公報
【発明の開示】
【発明が解決しようとする課題】
【０００７】
しかし、上記特許文献１の方法では、音声と映像の信号を重畳して送受信を行うため、音声と映像の信号を同時に扱うことが難しい。信号を重畳しないで送受信を行っても良いと記載されているが、具体的な方法については明記されていない。
【０００８】
又、ドアホンと電話機の間に接続するドアホンアダプタ等の接続装置の内部に、画像信号を電話機のディスプレイが表示できる形式に変換する回路を備えるため、接続装置の構成が複雑になる。
【０００９】
又、特許文献２は、画像を扱うものではない。
【００１０】
本発明は上記問題に鑑みてなされたもので、その目的とする処は、ドアホンモニタの映像表示の機能を電話機のディスプレイに代替させることができる通信方法及び通信システムを提供することにある。
【課題を解決するための手段】
【００１１】
本発明に係る通信方法は、画像信号を生成する撮像手段を有する通話装置と、該通話装置にて生成された画像信号と異なる形式の画像信号に基づいて画像を表示する表示手段と、該通話装置にて生成された画像信号を表示可能な形式に変換する変換手段とを有する電話機と、前記通話装置及び電話機の間でこれらを接続する接続装置とを用いることを特徴とする。又、該電話機及び通話装置は、それぞれ処理することが可能な音声信号が異なる前記通話装置及び電話機の一方の装置から受信した音声信号を他方の装置にて処理することが可能な形式の音声信号に変換する手段を有する。
【００１２】
屋外に設置された該通話装置付属のカメラが撮像し出力する映像信号は輝度信号に色信号を重畳させたカラービデオ信号とする。輝度信号は０. ７１４Vp-pの信号であり、０. ７１４Ｖが白１００％を表し、０Ｖは黒１００％を表しており、白と黒の中間の色は０〜０. ７１４Ｖの間に割り当てられている。カラー映像の通信を行う場合には、白黒の濃度を表す前期輝度信号に色信号を付加し重畳させて通信を行う。カメラから出力される前記映像信号の表示を行う、屋内に設置されたディスプレイ付属の電話機の内部には、前記映像信号を輝度信号（Ｙ信号）と色信号（Ｃ信号）に分離するＹ／Ｃ分離回路を備えている。
【００１３】
前記映像信号は、Ｙ／Ｃ分離回路において輝度信号と映像信号に分離され、それぞれの信号を処理する回路を通してディスプレイに映像を表示する。Ｙ／Ｃ分離回路及びＡ／Ｄ変換回路は、ファックシミリ電話機付属のＣＩＳ（Contact image sensor）等からの画像信号処理に使用する回路を使用するため、該接続装置及び該通話装置内に特別な画像処理回路を持たない。
【００１４】
本発明は、該電話装置と該接続装置との間で６芯の専用通信線とモジュラージャックを使用した通信システムであり、音声信号と画像信号を別々に通信を行う。
【発明の効果】
【００１５】
本発明によれば、カメラ付きドアホンとディスプレイ付きの電話機等の通信装置を接続装置を介して接続することにより、ドアホンモニタの映像表示の機能を電話機のディスプレイに代替させることができる。映像信号は、音声信号と別の信号線に割り当てることから音声と映像の通信を同時に行うことができる。映像信号を電話機のディスプレイに表示できる形式に変換する回路は、ファクシミリ装置のＣＩＳからの映像信号の変換用の回路を用いるため、接続装置内に映像信号変換用の回路を搭載する必要がなくなる。又、既存の６芯の一般電話用モジュラを使用するため、使用者は通常の電話機の接続と同じ方法で接続を行えば良く、簡単な作業でシステムの構築ができる。
【発明を実施するための最良の形態】
【００１６】
以下、本発明の実施の形態を説明する。
【００１７】
図１は本発明の通信システムを示す構成図である。図中、３０は玄関等の屋外に設置されたカメラ付きドアホン等の通話装置である。通話装置３０は、撮像により映像信号を生成するカメラ等の映像撮像手段３１、入力された音声から音声信号を生成するマイク等の音声入力手段３２、音声信号に基づいて音声を出力するスピーカ等の音声出力手段３３、呼び出しボタンのような入力手段３４を備える。
【００１８】
図中、１１０は通信装置１０と電話機３０及びＰＳＴＮ回線の接続のための接続装置である。接続装置２０は、通信装置１０に対しては１本又は２本の音声通信線と１本の映像通信線を介して接続され、電話機３０に対しては６芯の専用多芯線を介して接続され、又、一般電話回線（ＰＳＴＮ）には２芯の専用通信線を介して接続される。
【００１９】
接続装置２０の内部は、入力手段３４からの呼び出しを検出する検出手段２１と、その呼び出し検出手段２１が呼び出しを検出したときにチャイム音を生成するチャイム音生成手段２２を備えている。
【００２０】
図中、１０はファクシミリ機能付きの電話機であり、ＬＣＤのような表示手段１１、マイク等の音声入力手段１２、スピーカ等の音声出力手段１３、電話番号入力や各種機能を使用するためのキー入力手段１４を備えている。ファクシミリ機能付き電話機は、ファクシミリとして送信する原稿を読み取るＣＩＳ等の画像読取手段１６と、ＣＩＳ１６で生成した映像信号を輝度信号と色信号に分離するＹ／Ｃ分離手段１７と、映像信号をアナログ／デジタル変換するためのＡ／Ｄ変換手段１８を備えていることが一般的であり、図中１０の電話機も同等の機能を有するものを使用する。
【００２１】
先ず、ドアホン等の通話装置１つと接続装置及び電話機を使用するドアホンシステムにおいて説明する（図１）。
【００２２】
電話機１０は、一般的な電話機で使用される６芯の専用多芯線ケーブル用のモジュラジャックを利用して接続装置２０と接続される。例えば、このとき接続に使用する６芯のケーブルは、図３及び図４に示すように、一般電話回線との音声送受信用に２芯と、通話装置３０との音声送受信用に２芯、又、画像通信用に１芯使用し、残りの１芯は一般的なドアホンのシステムで行われている通り、通話装置、接続装置及び電話機の共通のＧＮＤ線として使用する。接続装置２０と電話機１０との接続において電話機のモジュラジャックを利用できるため、電話機１０にドアホンシステムのための特別なインターフェースを予め設ける必要はない。通話装置３０と接続装置２０とは音声送受信用に２芯と、画像通信用に１芯及びＧＮＤ線の４芯のケーブルで接続される。
【００２３】
通信装置３０は、通信装置全体を制御するＣＰＵ３５を備え、ＣＰＵ３５の制御によって、カメラ３１は映像信号を１本の通信線を介して接続装置２０に送信する。
【００２４】
カメラ３１から送信された映像信号は、接続装置２０の映像信号送受信手段を介して電話機１０で受信を行い、受信した映像信号をＹ／Ｃ分離回路１７において輝度信号と色信号に分離し、Ａ／Ｄ変換手段１８、映像圧縮手段１１０により変換されれ、表示手段１１において表示する。Ｙ／Ｃ分離手段１７、Ａ／Ｄ変換手段１８及び映像圧縮手段１１０は、ＣＩＳからの映像信号の処理に利用されるものを共用している。
【００２５】
又、ＣＰＵ３５の制御により、マイクは入力された音声から音声信号を生成し、１本の通信線を介して接続装置２０に送信する。逆に、接続装置２０から送信された音声信号は、スピーカ３３により音声として出力される。ドアホン３０から受け取った音声信号は、音声信号送受信手段２３を介して電話機１０内の音声信号切り替え手段１５に送られ、スピーカによって音声として出力される。逆に、電話機１０のマイク１２から入力された音声信号は、音声信号切り替え手段１５によってドアホン３０へ送信するように経路を選択し、接続装置２０の音声信号送受信手段２３を介してドアホン３０内のスピーカ３３において音声として出力される。来客がドアホン３０のキー入力手段３４を押したときは、呼び出し検出手段２１がキー入力を検出しチャイム音生成手段がチャイム音を音声信号送受信手段２３に送信する。チャイム音は、音声信号送受信手段２３から音声切り替え手段１５を介して電話機１０内のスピーカ１３に送信され、チャイム音として出力される。
【００２６】
次に、接続装置に対してドアホン２つを接続し、２つのドアホンと通信を行うドアホンシステムについて説明する（図２）。
【００２７】
電話機１０は、一般的な電話機で使用される６芯の専用多芯線ケーブル用のモジュラジャックを利用して接続装置５０と接続される。例えば、このとき接続に使用する６芯のケーブルは、図２に示すように、一般電話回線との音声送受信用に２芯と、２つの通話装置６０，７０との音声送受信用に１芯、又、画像通信用に１芯、２つの通話装置６０，７０の切り替え用信号として１芯、残りの１芯は一般的なドアホンのシステムで行われている通り、通話装置、接続装置及び電話機の共通のＧＮＤ線として使用する。接続装置５０と電話機４０との接続において電話機のモジュラジャックを利用できるため、電話機４０にドアホンシステムのための特別なインターフェースを予め設ける必要はない。通話装置６０，７０と接続装置５０とは音声送受信用に１芯と、画像通信用に１芯、キー入力信号通信用に１芯及びＧＮＤ線の４芯のケーブルで接続される。
【００２８】
通信装置６０は、通信装置全体を制御するＣＰＵ６５を備え、ＣＰＵ６５の制御によって、カメラ６１は映像信号を１本の通信線を介して接続装置５０に送信する。通信装置７０は、通信装置６０と同等の機能を有する。接続装置５０内の通話装置切替手段５１は、電話機４０からの切り替え信号により通話装置６０と通話装置７０の切り替えを行う。
【００２９】
カメラ６１（又は７１）から送信された映像信号は、通話装置５０の映像信号送受信手段を介して電話機４０で受信を行い、受信した映像信号をＹ／Ｃ分離回路４７において輝度信号と色信号に分離し、Ａ／Ｄ変換手段４８、映像圧縮手段４１０により変換され、表示手段４１において表示する。Ｙ／Ｃ分離手段４７、Ａ／Ｄ変換手段４８及び映像圧縮手段４１０は、ＣＩＳからの映像信号の処理に利用されるものを共用している。
【００３０】
又、ＣＰＵ６５の制御により、マイクは入力された音声から音声信号を生成し、１本の通信線を介して接続装置５０に送信する。逆に、接続装置５０から送信された音声信号は、スピーカ６３により音声として出力される。ドアホン６０又は７０から受け取った音声信号は、通話装置切り替え手段５１、音声信号送受信手段５４を介して電話機１０内の音声信号切り替え手段４５に送られ、スピーカ４３によって音声として出力される。逆に、電話機４０のマイク４２から入力された音声信号は、音声信号切り替え手段４５によってドアホン６０又は７０へ送信するように経路を選択し、接続装置５０の音声信号送受信手段５４を介してドアホン６０、７０内のスピーカ６３，７３において音声として出力される。
【００３１】
来客がドアホン６０（又は７０）のキー入力手段６４（又は７４）を押したときは、呼出検出手段５２がキー入力を検出しチャイム音生成手段がチャイム音を音声信号送受信手段５３に送信する。チャイム音は、音声信号送受信手段５３から音声切り替え手段４５を介して電話機４０内のスピーカ４３に送信され、チャイム音として出力される。
【図面の簡単な説明】
【００３２】
【図１】本発明の第１の通信システムを示す構成図である。
【図２】本発明の第２の通信システムを示す構成図である。
【図３】本発明の第１の通信システムのモジュラージャックである。
【図４】本発明の第２の通信システムのモジュラージャックである。
【符号の説明】
【００３３】
１０  電話機（ディスプレイ付きファクシミリ電話機）
２０  接続装置（ドアホンアダプタ）
３０  通話装置（カメラ付きドアホン）
４０  電話機（ディスプレイ付きファクシミリ電話機）
５０  接続装置（ドアホンアダプタ）
６０  通話装置１（カメラ付きドアホン）
７０  通話装置２（カメラ付きドアホン）
８０  第１の通信システムのモジュラージャック
９０  第２の通信システムのモジュラージャック
【図１】
2006100922.tif 000003
【図２】
2006100922.tif 000004
【図３】
2006100922.tif 000005
【図４】
2006100922.tif 000006